(57)【要約】【課題】杭打ち状態において杭に引張りと曲げが同時に作用するような場合であっても、杭の打込み深さを浅くしながら杭が抜けるのを防ぐことができる構造の反力杭を提供する。【解決手段】引抜き力に対する反力を確保するための杭本体部の基端側に、杭軸線方向と直交して側方に張り出し、地面に当接してそれ以上の打込みを阻止するつば状部１１が備えられている。杭本体部は例えばつるまき状部６からなる。その場合に、つるまき状部６の先端に先端方向に突出するガイド用の刺込み真直部７が備えられているのもよい。【選択図】      図１
2004353184.tif 000002
【特許請求の範囲】
【請求項１】
引抜き力に対する反力を確保するための杭本体部の基端側に、杭軸線方向と直交して側方に張り出し、打込み側の面部に当接してそれ以上の打込みを阻止するつば状部が備えられていることを特徴とする反力杭。
【請求項２】
前記杭本体部がつるまき状部からなり、打込み側に回転させて打ち込んでいくことによりつるまき状部が打込み側の内部に進出していくようになされている請求項１に記載の反力杭。
【請求項３】
前記つるまき状部の先端に先端方向に突出するガイド用の刺込み真直部が備えられ、該刺込み真直部を打込み側に刺し込んだ状態で打込み側に回転させて打ち込んでいくことによりつるまき状部が打込み側の内部に進出していくようになされている請求項２に記載の反力杭。
【発明の詳細な説明】
【０００１】
【発明の属する技術分野】
本発明は、屋根改修工事やキャンプ等に用いられる反力杭に関する。
【０００２】
【従来の技術】
住宅等の建物の屋根の改修工事において屋根に親綱を張るような場合に、地面に反力杭を打ち、この反力杭に親綱をつなぐことがある。例えばそのような場合に用いられる反力杭として、従来より、種々の反力杭が提供されている。
【０００３】
【発明が解決しようとする課題】
しかしながら、従来の反力杭では、杭に斜め方向の引張り力が作用するような場合に、反力杭に曲げがかかり、地面から抜けてしまうおそれがあるという問題があった。そのような場合の対処法として、寸法の長い反力杭を用い、地中深くに打ち込むようにすることも考えられるが、その方法は、打込み深さに制限があるような場合には使うことができない。
【０００４】
本発明は、上記のような従来の問題点に鑑み、杭打ち状態において杭に引張りと曲げが同時に作用するような場合であっても、杭の打込み深さを浅くしながら杭が抜けるのを防ぐことができる構造の反力杭を提供することを課題の一つとする。
【０００５】
【課題を解決するための手段】
上記の課題は、引抜き力に対する反力を確保するための杭本体部の基端側に、杭軸線方向と直交して側方に張り出し、打込み側の面部に当接してそれ以上の打込みを阻止するつば状部が備えられていることを特徴とする反力杭によって解決される。
【０００６】
この反力杭では、杭本体部が打込み側の内部に打ち込まれ、つば状部が打込み側に当接した杭打ち状態において、杭に斜め方向の引張り力が作用した場合、つば状部が地面に押し付けられ、それによって、杭が傾こうとするのが阻止され、その結果、杭の打込み深さが浅くても杭の抜けが防がれる。
【０００７】
上記の反力杭において、前記杭本体部がつるまき状部からなり、打込み側に回転させて打ち込んでいくことによりつるまき状部が打込み側の内部に進出していくようになされているとよい。
【０００８】
この場合は、打込み側へのつるまき状部の回転打込み最終段階において、つば状部が打込み側に押付け状態となり、しかも、その押付け状態が打込み側に対するつるまき状部の螺進締付け力によってしっかりと維持され、その結果、杭に斜め方向の引張り力が作用した場合でも杭の抜けをより一層確実に防ぐことができる。
【０００９】
そして、この反力杭において、前記つるまき状部の先端に先端方向に突出するガイド用の刺込み真直部が備えられ、該刺込み真直部を打込み側に刺し込んだ状態で打込み側に回転させて打ち込んでいくことによりつるまき状部が打込み側の内部に進出していくようになされているとよい。
【００１０】
この場合は、つるまき状部を備えた回転打込み式の反力杭の打込みにおいて、打込み側に刺し込まれた真直部が、打込み側へのつるまき状部の回転打込み中のガイドとして機能し、つるまき状部を打込み側に容易に真っ直ぐ打ち込んでいくことができる。とりわけ、つるまき状部が打込み側に打ち込まれていく初期時点での杭打ち姿勢を真直部のガイド作用で安定したものにすることができ、杭をふらつかせることなく、打込み側へのつるまき状部の打込みを容易に行っていくことができる。
【００１１】
【発明の実施の形態】
次に、本発明の実施形態を図面に基づいて説明する。
【００１２】
図１に示す第１実施形態の反力杭１は、図７に示すように、住宅等の建物３の屋根２に親綱４を張る場合に打込み側である地面５に打ち込まれるもので、図１（イ）に示す反力杭１において、６は、引抜き力に対する反力を確保するための杭本体部としてのつるまき状部であり、つるまき状部６の基端側には、杭軸線方向と直交して側方に張り出し、打込み側である地面５に当接してそれ以上の打込みを阻止する例えば図示するような円板状のつば状部１１が備えられている。
【００１３】
また、このつば状部１１よりも基端側に、図１（ロ）に示すように、回転操作用のバー８を、反力杭１との組合せでＴ字状となるように貫通して通すことのできる親綱つなぎ用のリング状部９が備えられ、更に、つるまき状部６の先端に、先端方向に突出するガイド用の刺込み真直部７が備えられている。
【００１４】
本実施形態では、反力杭１が、一本の鉄等の金属製の線材と、つば状部１１用のプレートとでつくられており、線材に曲げ加工を施すことでつるまき状部６と刺込み真直部７とリング状部９とを一体成形し、これにつば状部１１用のプレートを取り付けたものからなっている。なお、本実施形態では、つば状部１１用のプレートと線材成形品とは例えば溶接で一体的に接合されているが、つば状部１１用のプレートは、線材成形品に対し相対回転できるように備えられていてもよく、要は、つば状部１１が杭軸線方向に対し垂直状態を維持しうるような取付けられ方をされていればよい。
【００１５】
上記反力杭１では、図２（イ）に示すように、真直部７の全体を地面５に対して垂直に刺し込んだ状態にし、しかる後、図２（ロ）に示すように、リング状部９に通した回転操作バー８を回転させながら、反力杭１を地面５側に圧入していく。この回転打込み初期の段階で、地面に刺し込まれている真直部７が地面５へのつるまき状部６の初期の打込みを容易なものとし、つるまき状部６を備える反力杭１でありながら、これが打込み初期段階でふらついてしまうのが阻止される。
【００１６】
こうして、つるまき状部６の先端部部分がある程度地面５の下にねじ込まれた後は、必要に応じて反力杭１に圧入力を付与しながら回転操作バー８を回転させていくことにより、図２（ハ）に示すように、つば状部１１が地面５に当接し、つるまき状部６によるねじ締め作用によってつば状部１１が地面５に押し付けられた状態となり、打込みが完了する。
【００１７】
こうして地面５に反力杭１を打ち込んだのち、図５に示すように、反力杭１のリング状部９に親綱４をつなぎ、屋根２に親綱４を張って、屋根上作業を行う。
【００１８】
例えばこの屋根上作業において、反力杭１に、図３（イ）（ロ）に示すように、斜め方向に強い引張り力が作用し、その引張り力の水平方向成分の力によって反力杭１に強い曲げがかかっても、つば状部１１が地面５に押し付けられ、杭１を傾かせないようにふんばり、それによって杭１が抜けてしまうのが防がれる。
【００１９】
特に、杭本体部がつるまき状部６からなっているので、地面５へのつるまき状部６の回転打込み最終段階においてつば状部１１を地面５に押付け状態にすることができ、しかも、その押付け状態が地面５に対するつるまき状部６の螺進締付け力によってしっかりと維持されるので、反力杭１に斜め方向の引張り力が作用した場合でも杭１の抜けが確実に防がれる。
【００２０】
図４に示す第２実施形態の反力杭１は、つるまき状部６の先端側のガイド用真直部が省略され、つるまき状部６の下端が反力杭１の下端となっている。その他は、第１実施形態と同様である。この場合も、反力杭１に、斜め方向に強い引張り力が作用して反力杭１に強い曲げがかかったとしても、つば状部１１が地面５に押し付けられて杭１を傾かせないようにふんばり、それによって、杭１が引き抜かれてしまうのが阻止される。
【００２１】
以上に、本発明の実施形態を示したが、本発明はこれに限られるものではなく、発明思想を逸脱しない範囲で各種の変更が可能である。例えば、つば状部１１の形態に制限はなく、円板状のほか、四角形、六角形等の角形板状のものであってもよいし、要は、杭軸線方向と直交して側方に張り出し、杭曲げに対して打込み側を押してふんばり作用を行い、打込み側の面部に当接してそれ以上の打込みを阻止するようなものであればよい。また、本発明の反力杭の材質に制限はなく、鉄等の金属であってもよいし、プラスチックなどからなっていてもよいし、更に、打込み側は地面に限られるものではない。また、親綱つなぎ部の形態はリング状に限らず、筒状のものであってもよいし、種々の形態が採用されてよい。
【００２２】
【発明の効果】
本発明は、以上のとおりのものであるから、杭打ち状態において杭に引張りと曲げが同時に作用したような場合であっても、杭の打込み深さを浅くしながら杭が抜けるのを防ぐことができる。
【図面の簡単な説明】
【図１】第１実施形態の反力杭を示すもので、図（イ）は斜視図、図（ロ）は回転操作バーを組み合わせた状態の斜視図である。
【図２】図（イ）〜図（ハ）は打込みの過程を順次に示す一部断面側面図である。
【図３】打込み状態の反力杭に斜め方向の引張り力が作用した場合の力学的関係を示す一部断面側面図である。
【図４】第２実施形態の反力杭を示すもので、図（イ）は斜視図、図（ロ）は回転操作バーを組み合わせた状態の斜視図である。
【図５】使用の一例を示す概略断面側面図である。
【符号の説明】
１…反力杭
５…地面（打込み側）
６…つるまき状部（杭本体部）
７…真直部
１１…つば状部
【図１】
2004353184.tif 000003
【図２】
2004353184.tif 000004
【図３】
2004353184.tif 000005
【図４】
2004353184.tif 000006
【図５】
2004353184.tif 000007